(57)【要約】      （修正有）【課題】汚染防止及び便宜性を向上させる商品包装ビニール袋用ゴミ箱蓋を提供する。【解決手段】袋取っ手が両側に突出形成された商品包装ビニール袋を使用してごみを収去することができるように、円板形状の下敷部２０下側に商品包装ビニール袋の開口部に挿入する挿入部４０が形成されて、挿入部４０の上端両側面には取っ手差込溝２２が複数個連続具備された取っ手掛け部２１を形成して取っ手差込溝２２に袋取っ手の両側部がそれぞれ挿入しながら上部は取っ手掛け部２１にかけられて商品包装ビニール袋を固定して、下敷部２０の上面中央には投入部３０を突出形成させて、投入部３０の中心で放射形を切開形成された投入口３５が下向き移動可能に余裕空間を形成して、下敷部２０と投入口３０の内側壁に弾力突起がさらに具備されて、投入口３５を弾力移動されるように形成する。【選択図】図１
0003219744.tif 000002
【実用新案登録請求の範囲】
【請求項１】
袋取っ手（２）が両側に突出形成された商品包装ビニール袋（１）を使用してごみを収去することができるように、円板形状の下敷部（２０）下側に商品包装ビニール袋（１）の開口部に挿入する挿入部（４０）が形成されて、前記挿入部（４０）の上端両側面には取っ手差込溝（２２）が複数個連続具備された取っ手掛け部（２１）を形成して前記取っ手差込溝（２２）に袋取っ手（２）の両側部がそれぞれ挿入しながら上部は取っ手掛け部（２１）にかけられて商品包装ビニール袋（１）を固定して、前記下敷部（２０）の上面中央には投入部（３０）を突出形成させて、前記投入部（３０）の中心で放射形を切開形成された投入口（３５）が下向き移動可能に余裕空間（Ｓ）を形成して、前記下敷部（２０）と投入口（３０）の内側壁に弾力突起（３６）がさらに具備されて、前記投入口（３５）を弾力移動されるように形成したことを特徴とする商品包装ビニール袋用ゴミ箱蓋。
【請求項２】
請求項１において、下敷部（２０）の側面にハンガー（２５）が等間隔を置いて形成されて、底面に粒状形態で立てられる複数個の据え置き棒（５０）が前記ハンガー（２５）にそれぞれ挿入して、下敷部（２０）が底面で離隔された状態で位置するように構成したことを特徴とする商品包装ビニール袋用ゴミ箱蓋。
【請求項３】
請求項１において、挿入部（４０）は下側方向で細くなるように傾斜した形態で成形されて、外面には一定の間隔を置いて係止突起リング（４５）が連続して成形されたことを特徴とする商品包装ビニール袋用ゴミ箱蓋。
【請求項４】
請求項１において、下敷部（２０）の上面中央で突出形成された投入部（３０）を覆いかぶせて安着される仕上げカバー（６０）がさらに構成されることを特徴とする商品包装ビニール袋用ゴミ箱蓋。
【考案の詳細な説明】
【技術分野】
【０００１】
本考案は商品包装ビニール袋用ゴミ箱蓋に関することで、より詳しくは一般的な商品包装ビニール袋（例として使い捨てビニール袋）の上部に挟んで使用して、投入されたごみを簡便に分離して廃棄するようにすることで、汚染防止及び使用に対する便宜性を向上させるように考案したことである。
【背景技術】
【０００２】
一般に、再利用ごみと一般ごみで分離してそれぞれ別途の袋を利用して前記ごみを分離収去しているし、このように収去されたごみが一定量満たされるようになると袋を縛って捨てられるようになる。
【０００３】
特に、家庭では主に商品包装用で通用する商品包装ビニール袋を利用してごみを盛り込んで規格化された従量制ごみ袋に捨てやすいように使われるが、前記商品包装ビニール袋は比較的薄くて軽くて容易に破れるなど使用に不便さがあった。
【０００４】
一方、前記商品包装ビニール袋を据え置きして使用する場合があるが、この時にはごみが袋を通じて照らして美観上でも非常に良くなくて、特にごみで発生する悪臭などに周辺環境の清潔及び衛生上に問題点の発生する問題点があった。
【０００５】
よって、前記のような問題点を解消しながら美観を考慮して別途の四角形または円筒状筐体を成すゴミ箱を具備して、前記ゴミ箱内部にビニール袋を収容しながら、開口部はゴミ箱蓋を利用して仕上げて使用していた。
【０００６】
しかし、前記のような従来のゴミ箱を利用してビニール袋を使用する場合には前記ゴミ箱の設置空間を確保しなければならないし、特にゴミ箱の開口部を単純に蓋を利用して開閉することでごみを投入するためには蓋を開かなければならないので内部に積載されたごみの露出及び悪臭が発生して使用者に不便さを与える問題点があった。
【０００７】
また、ビニール袋のサイズが多様でゴミ箱開口部にビニール袋が合わない場合には例えばゴミ箱にビニール袋が折りたたんだ状態に収容されてごみ投入のためには前記折りたたんだビニール袋の入口を探さなければならないので使用者に不便さをもたらす問題点があった。
【先行技術文献】
【特許文献】
【０００８】
【特許文献１】韓国登録実用新案第２０−０１６３３７０号公報
【考案の概要】
【考案が解決しようとする課題】
【０００９】
前記のような従来の問題点を解消するために案出された本考案は、コンビニ及び一般商店などで提供する商品包装ビニール袋にゴミ箱蓋が挿入して内部が遮蔽されるようにしながらも蓋中央で放射形で切開線が具備されたごみ投入口を形成して投入されたごみの外部暴露防止及び悪臭遮断機能を向上させることができるようにするのにその目的がある。
【００１０】
本考案の他の目的は、多様な規格で提供される商品包装ビニール袋にゴミ箱蓋が挿入しながらも商品包装ビニール袋の袋取っ手をゴミ箱蓋の側面に形成された取っ手差込部に簡便に装着させてビニール袋の分離防止及び使用便宜性を向上させるのにある。
【００１１】
本考案のまた他の目的は、ゴミ箱蓋に据え置き棒を組み立てて、商品包装ビニール袋が折れることを防止して、ごみの投入が容易いように構成することで製品の信頼性と商品性を向上させるようにするのにある。
【課題を解決するための手段】
【００１２】
このような技術的課題を解決するために本考案は、袋取っ手（２）が両側に突出形成された商品包装ビニール袋（１）を使用してごみを収去することができるように、円板形状の下敷部（２０）下側に商品包装ビニール袋（１）の開口部に挿入する挿入部（４０）が形成されて、前記挿入部（４０）の上端両側面には取っ手差込溝（２２）が複数個連続具備された取っ手掛け部（２１）を形成して前記取っ手差込溝（２２）に袋取っ手（２）の両側部がそれぞれ挿入しながら上部は取っ手掛け部（２１）にかけられて商品包装ビニール袋（１）を固定して、前記下敷部（２０）の上面中央には投入部（３０）を突出形成させて、前記投入部（３０）の中心で放射形を切開形成された投入口（３５）が下向き移動可能に余裕空間（Ｓ）を形成して、前記下敷部（２０）と投入口（３０）の内側壁に弾力突起（３６）がさらに具備されて、前記投入口（３５）を弾力移動されるように形成して果たす。
【００１３】
また、下敷部（２０）の側面にハンガー（２５）が等間隔を置いて形成されて、地面に粒状形態で立てられる複数個の据え置き棒（５０）が前記ハンガー（２５）にそれぞれ挿入して、下敷部（２０）が地面で離隔された状態で位置するように構成する。
【００１４】
また、挿入部（４０）は下側方向で細くなるように傾斜した形態で成形されて、外面には一定の間隔で係止突起リング（４５）が連続して成形される。
【００１５】
そして、下敷部（２０）は上面中央に投入口（３５）が突出形成されて、前記投入部（３０）の中心で放射状に切開された投入口（３５）を有するようにして、前記下敷部（２０）上部には投入口（３５）を覆いかぶせて安着される仕上げカバー（６０）がさらに構成される。
【考案の効果】
【００１６】
このような本考案によると、コンビニ及び一般商店などで提供する商品包装ビニール袋にゴミ箱蓋を挟んで簡便にゴミ箱に使用可能で、一定量満たされた商品包装ビニール袋を縛って従量制ごみ袋に投入させることができて衛生環境を向上させることができる。
【００１７】
また、ゴミ箱蓋の投入口が弾力のあるもので形成されてごみ投入以後に前記投入口が原状復帰されながら収去されたごみの外部離脱及び悪臭などの流出を防止することができる。
【００１８】
そして、多様なサイズの商品包装ビニール袋にゴミ箱蓋が挿入することができ、前記ゴミ箱蓋に据え置き棒を組み立てさせて商品包装ビニール袋が折りたたむことを防止してごみの投入が容易くて使用の便宜性を向上させることができるなど製品の商品性を増大させることができる。
【図面の簡単な説明】
【００１９】
【図１】図１は本考案である商品包装ビニール袋用ゴミ箱蓋の全体斜視図。
【図２】図２は本考案である商品包装ビニール袋用ゴミ箱蓋の底面斜視図。
【図３】図３は本考案である商品包装ビニール袋用ゴミ箱蓋の断面図。
【図４】図４は本考案である商品包装ビニール袋用ゴミ箱蓋の使用状態図。
【図５】図５は本考案である商品包装ビニール袋用ゴミ箱蓋の他の使用状態図。
【図６】図６は本考案の構成である取っ手掛け部の拡大斜視図。
【考案を実施するための形態】
【００２０】
本考案である商品包装ビニール袋用ゴミ箱蓋は一般的な商品包装ビニール袋の上部に挟んで使用して、投入されたごみを簡便に分離して廃棄するようにすることで、汚染防止及び使用に対する便宜性を向上させるように考案したことである。
【００２１】
以下本考案による商品包装ビニール袋用ゴミ箱蓋の構成に対して添付された図面を参照にして詳細に記述される実施例によってその特徴を理解することができるはずである。
【００２２】
まず、本考案に適用される商品包装ビニール袋（１）はコンビニ、小型マーケット、家庭などで主に商品包装用で使われる袋取っ手（２）が具備された製品であり、前記商品包装に使われた前記商品包装ビニール袋は主に小型で一般家庭のように小規模生活空間で一般ごみを一定量集めた後前記商品包装ビニール袋（１）を縛って従量制ごみ袋に満たされるように数個を盛り込んで排出するのが一般的である。
【００２３】
本考案は、前記商品包装ビニール袋（１）にごみを盛り込む過程で前記商品包装ビニール袋（１）に収去されたごみの離脱防止及び悪臭の漏出を防止するようにしたことで、特に多様なサイズを有する商品包装ビニール袋（１）に適用されるように構成して使用の便宜性を増大させることができる。
【００２４】
前記ゴミ箱蓋（１０）は図１ないし図６のように合成樹脂、シリコン、ゴム材料の中でいずれか一つの材料を利用して弾力を有するように成形されて、円形、四角形、多角形の中でいずれか一つの形状を有して中央に放射状の切開線を有する投入口（３５）を具備して商品包装ビニール袋（１）の袋取っ手（２）が固定される取っ手掛け部（２１）が形成された下敷部（２０）と、前記下敷部（２０）の下側に具備されて商品包装ビニール袋（１）の開口部に挿入する挿入部（４０）が一体構成される。
【００２５】
本考案であるゴミ箱蓋（１０）をより詳細に説明すると、下敷部（２０）は円形の形状を有して袋取っ手（２）が具備された商品包装ビニール袋（１）の開口部を覆いながら両側面には取っ手差込溝（２２）が複数個連続具備された取っ手掛け部（２１）が形成される。
【００２６】
また、前記下敷部（２０）の下側に一体に形成された挿入部（４０）は、円形の形状を有して製作されて商品包装ビニール袋（１）の開口部に挿入するが、多様なビニール袋（１）の開口部サイズに合わせるように挿入部（４０）が下側方向で細くなるように傾斜した形態で成形されて、外面には一定の間隔を置いて係止突起リング（４５）が連続して成形される。
【００２７】
よって、前記挿入部（４０）に商品包装ビニール袋（１）の開口部が挿入しながら係止突起リング（４５）が開口部内面が密着されながら隙間を防止して悪臭の漏出を防止することができ、前記係止突起リング（４５）に商品包装ビニール袋（１）の開口部が摩擦されながら容易に分離することを防止するようにする。
【００２８】
そして、前記商品包装ビニール袋（１）の袋取っ手（２）は下敷部（２０）の両側に形成された取っ手掛け部（２１）に挟んで組み立てされるが、前記取っ手掛け部（２１）は突出形成された本体に複数の取っ手差込溝（２２）をさらに形成して、商品包装ビニール袋（１）の袋取っ手（２）を前記取っ手差込溝（２２）にそれぞれ挟んで取っ手掛け部（２１）にかかられるようにすることで、商品包装ビニール袋（１）に収去されるごみの重量にも挿入部（４０）に挿入した商品包装ビニール袋（１）が分離できなくなる。
【００２９】
前記取っ手掛け部（２１）は楕円形状を有して下敷部（２０）の外側方向に突出形成されながら、複数個の取っ手差込溝（２２）を切開させたことで、商品包装ビニール袋（１）の一側袋取っ手（２）が前記取っ手差込溝（２２）に両端が挿入しながら上部は取っ手掛け部（２１）にかかられるようにする。
【００３０】
そして、前記下敷部（２０）の中央には使用者が把持したごみを投入する投入口（３５）を形成するが、前記投入口（３５）は下敷部（２０）中央から外側方向に放射状の切開線を有して形成されて、一般的な状態では前記投入口（３５）が閉鎖された状態を有するようになって、ごみ投入によって弾力を有して開放される。
【００３１】
すなわち、本考案であるゴミ箱蓋（１０）は弾力を有する合成樹脂、シリコン、ゴムの中でいずれか一つの材料を利用して形成されて、取っ手掛け部（２１）の取っ手差込溝（２２）に商品包装ビニール袋（１）の袋取っ手（２）を簡便に挿入して固定することができ、放射形に切開されたそれぞれの投入口（３５）底面に弾性力を向上させるように弾力突起（３６）が切開部に沿ってさらに突出形成させて復元力が増大されるようにする。
【００３２】
前記弾力突起（３６）は投入口（３５）の切開線に沿って底面両側に突出形成されて前記投入口（３５）の弾性力を向上させることで、投入口（３５）の上面や上面及び底面両側にそれぞれ形成させることも可能である。
【００３３】
また、下敷部（２０）は他の実施例で上面中央に投入部（３０）を突出形成させて、前記投入部（３０）の中心で放射状に切開された投入口（３５）が下向き移動可能に余裕空間（Ｓ）を有するようにして、商品包装ビニール袋（１）にごみが一定量以上に満たされた状態でも前記投入口（３５）が下側で押されられることができて商品包装ビニール袋（１）にいっぱいごみを満たすのが可能である。
【００３４】
また、前記下敷部（２０）上面に投入部（３０）が突出形成された状態では、使用者が仕上げカバー（６０）を利用して前記投入口（３５）を覆いかぶせて安着されるように組み立てて投入口（３５）の外部暴露を防止するようにすることも本考案に含まれる。
【００３５】
この時、前記投入部（３０）は上部で細くなる傾斜面を有して成形されて、これに対応して仕上げカバー（６０）は下部で広くなる傾斜面を有して成形されて下敷部（２０）上面に簡便に安着させることができながら、前記仕上げカバー（６０）よるという周囲を一定の厚さを有するように射出して重量体（６１）として仕上げカバー（６０）が風などに容易に分離することを防止するのが望ましくて、仕上げカバー（６０）の上面にカバー取っ手（６２）をさらに具備して使用者が容易に把持することができるようにする。
【００３６】
前記のようにゴミ箱蓋（１０）の挿入部（４０）に商品包装ビニール袋（１）の開口部が挿入して袋取っ手（２）が取っ手掛け部（２１）に結合された状態で、下敷部（２０）の側面に等間隔を置いて形成されたハンガー（２５）に据え置き棒（５０）を組み立てて前記ビニール袋（１）が含まれたゴミ箱蓋（１０）が地面で一定距離離隔されるようにする。
【００３７】
前記据え置き棒（５０）は、多段のポールをねじ、ピン、クリップなどの公示された方式を利用してその長さを調節することができるようにして、ポール上部には前記下敷部（２０）のハンガー（２５）と組み立てされるです（凹）溝形状のフック差込溝（尾部号）が形成されて、下部には底面に安定的に支持されうるように公知の吸着口またはすべり防止口などが具備されるようにする。
【００３８】
よって、下敷部（２０）の周囲に等間隔を有して１ねじ４個に形成されたハンガー（２５）に前記据え置き棒（５０）がそれぞれ結合されて商品包装ビニール袋（１）と結合されたゴミ箱蓋（１０）を家庭室内に簡便に粒状形態で立てて設置することができる。
【００３９】
そして、他の実施例として、図４のようにゴミ箱（５１）の上側開口部に本考案であるゴミ箱蓋（１０）の下敷部（２０）底面が安着されるようにして設置することも可能である。
【００４０】
また、図５のように建物のベランダ天井のように上部壁面に固定された掛け部材（５２）を利用して前記下敷部（２０）のハンガー（２５）にかけてゴミ箱蓋（１０）が底面で一定距離離隔されるように位置させることも望ましい。
【００４１】
そのため、商品包装用で主に使われる比較的薄い商品包装ビニール袋（１）を使用することにおいても、破れるか一部折りたたむことを防止して内部に収容されたごみ及び悪臭の流出を防止することができる非常に有用な考案であることである。
【００４２】
上記と一緒に上述した実施例は本考案の最も望ましい例に対して説明したことであるが前記実施例にだけ限定されることではなくて、本考案の技術思想を脱しない範囲内で多様な変形が可能であるということは当業者において明白なことである。
【符号の説明】
【００４３】
１．商品包装ビニール袋
２．袋取っ手
１０．ゴミ箱蓋
２０．下敷部
２１．取っ手掛け部
２２．取っ手差込溝
２５．ハンガー
３０．投入部
３５．投入口
３６．弾力突起
４０．挿入部
４５．係止突起リング
５０．据え置き棒
６０．仕上げカバー
６１．重量体
６２．カバー取っ手
【図１】
0003219744.tif 000003
【図２】
0003219744.tif 000004
【図３】
0003219744.tif 000005
【図４】
0003219744.tif 000006
【図５】
0003219744.tif 000007
【図６】
0003219744.tif 000008
【手続補正書】
【提出日】平成30年11月13日(2018.11.13)
【手続補正１】
【補正対象書類名】実用新案登録請求の範囲
【補正対象項目名】全文
【補正方法】変更
【補正の内容】
【実用新案登録請求の範囲】
【請求項１】
袋取っ手（２）が両側に突出形成された商品包装ビニール袋（１）を使用してごみを収去することができるように、円板形状の下敷部（２０）下側に商品包装ビニール袋（１）の開口部に挿入する挿入部（４０）が形成されて、前記挿入部（４０）の上端両側面には取っ手差込溝（２２）が複数個連続具備された取っ手掛け部（２１）を形成して前記取っ手差込溝（２２）に袋取っ手（２）の両側部がそれぞれ挿入しながら上部は取っ手掛け部（２１）にかけられて商品包装ビニール袋（１）を固定して、前記下敷部（２０）の上面中央には投入部（３０）を突出形成させて、前記投入部（３０）の中心で放射形を切開形成された投入口（３５）が下向き移動可能に余裕空間（Ｓ）を形成して、前記下敷部（２０）と投入口（３０）の内側壁に弾力突起（３６）がさらに具備されて、前記投入口（３５）を弾力移動されるように形成したことを特徴とする商品包装ビニール袋用ゴミ箱蓋。
【請求項２】
請求項１において、下敷部（２０）の側面にハンガー（２５）が等間隔を置いて形成されて、地面に粒状形態で立てられる複数個の据え置き棒（５０）が前記ハンガー（２５）にそれぞれ挿入して、下敷部（２０）が地面で離隔された状態で位置するように構成したことを特徴とする商品包装ビニール袋用ゴミ箱蓋。
【請求項３】
請求項１において、挿入部（４０）は下側方向で細くなるように傾斜した形態で成形されて、外面には一定の間隔を置いて係止突起リング（４５）が連続して成形されたことを特徴とする商品包装ビニール袋用ゴミ箱蓋。
【請求項４】
請求項１において、下敷部（２０）の上面中央で突出形成された投入部（３０）を覆いかぶせて安着される仕上げカバー（６０）がさらに構成されることを特徴とする商品包装ビニール袋用ゴミ箱蓋。